(57)【要約】【課題】簡易な構成で二次電池の充電中にセンサ信号を充電器から電話機本体に送信することが可能なコードレス電話装置を提供する。【解決手段】充電器３０は、定電流回路２０２から入力される所定電圧の直流電力と、センサ信号処理回路２０３から入力されるセンサ信号とから、当該所定電圧にセンサ信号を重畳した電源電圧を充電端子２０５へ出力する電圧調整回路２０４を備えている。また、コードレス子機２０は、二次電池１０６に充電器３０から充電するための受電端子１０７を備え、この受電端子１０７の出力側には、ＣＰＵ１０１のＡ／Ｄポート１０８が接続されている。このＡ／Ｄポート１０８は、ＣＰＵ１０１に内蔵されたＡ／Ｄ変換器に接続されている。これにより、ＣＰＵ１０１は、Ａ／Ｄ変換器を介して受電端子１０７に供給された電力の直流電圧値を８ビットのデジタル値に変換して検出することが可能になる。【選択図】図２
2008245086.tif 000002
【特許請求の範囲】
【請求項１】
電話機本体と、前記電話機本体内の二次電池に電力を供給する充電器とを備えたコードレス電話装置において、
前記充電器は、
電力を供給する給電部と、
人体を検知する人体検出センサと、
前記給電部から供給する電力に前記人体検出センサの出力信号を重畳させる信号重畳手段と、
を有し、
前記電話機本体は、
前記給電部から電力を受ける受電部と、
前記受電部で受けた電力から前記出力信号を抽出する信号抽出手段と、
を有することを特徴とするコードレス電話装置。
【請求項２】
前記信号重畳手段は、前記電力の電圧に前記出力信号の電圧を重畳し、
前記信号抽出手段は、前記電力の電圧変化に基づいて前記出力信号を抽出することを特徴とする請求項１に記載のコードレス電話装置。
【請求項３】
前記給電部は、前記電力を電磁波に変換する電磁波変換手段を有し、
前記受電部は、前記電磁波を電力に変換する電力変換手段を有し、
前記信号重畳手段は、前記電磁波に前記出力信号を重畳し、
前記信号抽出手段は、受信した電磁波に基づいて前記出力信号を抽出することを特徴とする請求項１に記載のコードレス電話装置。
【請求項４】
前記信号重畳手段は、前記電磁波の周波数に前記出力信号を重畳し、
前記信号抽出手段は、受信した電磁波の周波数変化に基づいて前記出力信号を抽出することを特徴とする請求項３に記載のコードレス電話装置。
【請求項５】
前記信号重畳手段は、前記電磁波の振幅に前記出力信号を重畳し、
前記信号抽出手段は、受信した電磁波から変換された電力の電圧変化に基づいて前記出力信号を抽出することを特徴とする請求項３に記載のコードレス電話装置。
【請求項６】
前記人体検出センサの出力信号は、人の近づきと該人の遠のきとをそれぞれ検出した信号を含むことを特徴とする請求項１乃至請求項５のいずれかに記載のコードレス電話装置。
【請求項７】
前記人体検出センサは、焦電型赤外線センサであることを特徴とする請求項１乃至請求項６のいずれかに記載のコードレス電話装置。
【発明の詳細な説明】
【技術分野】
【０００１】
本発明は、電話機本体と、この電話機本体内の二次電池に電力を供給する充電器とを備えたコードレス電話装置に関するものである。
【背景技術】
【０００２】
従来より、電話機本体と、この電話機本体内の二次電池に電力を供給する充電器とを備えたコードレス電話装置が種々提案されている。
例えば、充電器に電波時計アンテナを設け、携帯電話が充電器にセットされると、充電器内のＣＰＵは、電波時計により計時された時間データを赤外線送信部を介して携帯電話に伝送する。一方、携帯電話のＣＰＵは、赤外線受信部を介して時間データを受信すると、この受信した時間データに基づいて時計部の時間データを補正するように構成されたコードレス電話装置がある（例えば、特許文献１参照。）。
また、人体検出センサを搭載した充電器に無線型電話機本体がセットされると、セキュリティモードの場合に、人体検出センサにより検出されたセンサ信号が、充電結合機構とは別体に設けられた信号結合機構を介して無線型電話機本体に送信されるコードレス電話装置がある（例えば、特許文献２参照。）。
【特許文献１】特開平９−２４７２５５号公報（段落（０００９）〜（００１８）、図１〜図２）
【特許文献２】特開平６−６２１３４号公報（段落（０００９）〜（００１８）、図１〜図２）
【発明の開示】
【発明が解決しようとする課題】
【０００３】
しかしながら、上述した特許文献１に記載される構成では、充電器と携帯電話に赤外線送信部と赤外線受信部をそれぞれ設ける必要があり、また、上述した特許文献２に記載される構成では、充電結合機構とは別体に設けられた信号結合機構を介してセンサ信号を送信する必要がある。このため、二次電池の充電中にセンサ信号を充電器から電話機本体に送信する場合は、部品点数が多くなりコードレス電話装置の小型化が難しいという問題がある。
【０００４】
そこで、本発明は、上述した問題点を解決するためになされたものであり、簡易な構成で二次電池の充電中にセンサ信号を充電器から電話機本体に送信することが可能なコードレス電話装置を提供することを目的とする。
【課題を解決するための手段】
【０００５】
前記目的を達成するため請求項１に係るコードレス電話装置は、電話機本体と、前記電話機本体内の二次電池に電力を供給する充電器とを備えたコードレス電話装置において、前記充電器は、電力を供給する給電部と、人体を検知する人体検出センサと、前記給電部から供給する電力に前記人体検出センサの出力信号を重畳させる信号重畳手段と、を有し、前記電話機本体は、前記給電部から電力を受ける受電部と、前記受電部で受けた電力から前記出力信号を抽出する信号抽出手段と、を有することを特徴とする。
【０００６】
また、請求項２に係るコードレス電話装置は、請求項１に記載のコードレス電話装置において、前記信号重畳手段は、前記電力の電圧に前記出力信号の電圧を重畳し、前記信号抽出手段は、前記電力の電圧変化に基づいて前記出力信号を抽出することを特徴とする。
【０００７】
また、請求項３に係るコードレス電話装置は、請求項１に記載のコードレス電話装置において、前記給電部は、前記電力を電磁波に変換する電磁波変換手段を有し、前記受電部は、前記電磁波を電力に変換する電力変換手段を有し、前記信号重畳手段は、前記電磁波に前記出力信号を重畳し、前記信号抽出手段は、受信した電磁波に基づいて前記出力信号を抽出することを特徴とする。
【０００８】
また、請求項４に係るコードレス電話装置は、請求項３に記載のコードレス電話装置において、前記信号重畳手段は、前記電磁波の周波数に前記出力信号を重畳し、前記信号抽出手段は、受信した電磁波の周波数変化に基づいて前記出力信号を抽出することを特徴とする。
【０００９】
また、請求項５に係るコードレス電話装置は、請求項３に記載のコードレス電話装置において、前記信号重畳手段は、前記電磁波の振幅に前記出力信号を重畳し、前記信号抽出手段は、受信した電磁波から変換された電力の電圧変化に基づいて前記出力信号を抽出することを特徴とする。
【００１０】
また、請求項６に係るコードレス電話装置は、請求項１乃至請求項５のいずれかに記載のコードレス電話装置において、前記人体検出センサの出力信号は、人の近づきと該人の遠のきとをそれぞれ検出した信号を含むことを特徴とする。
【００１１】
更に、請求項７に係るコードレス電話装置は、請求項１乃至請求項６のいずれかに記載のコードレス電話装置において、前記人体検出センサは、焦電型赤外線センサであることを特徴とする。
【発明の効果】
【００１２】
請求項１に係るコードレス電話装置では、充電器の給電部から供給する電力に人体検出センサの出力信号を重畳して送信し、電話機本体は、受電部で受けた電力から出力信号を抽出するため、二次電池の充電中に充電器から電話機本体へセンサ信号を送信することが可能となる。また、給電部から供給する電力に人体検出センサの出力信号を重畳するため、充電器はＣＰＵ等の演算装置を必要とせず、また、センサ信号の送受信機構を給電機構と別体に設ける必要がなく、コードレス電話装置を簡易な構成にすることが可能となる。
【００１３】
また、請求項２に係るコードレス電話装置では、人体検出センサの出力信号を充電器の給電部から供給する電力の電圧に重畳する回路構成にすればよいため、充電器の回路構成を簡易な構成にすることが可能となる。また、電話機本体は、二次電池に供給される電力の電圧変化に基づいて人体検出センサの出力信号を抽出するため、簡易な構成で充電中に人体検出センサの出力信号を検出することが可能となる。
【００１４】
また、請求項３に係るコードレス電話装置では、充電器は電力を電磁波に変換すると共に、この電磁波に人体検出センサの出力信号を重畳する回路構成にすればよいため、充電器の回路構成を簡易な構成にすることが可能となる。また、電話機本体は、受信した電磁波に基づいて人体検出センサの出力信号を抽出するため、簡易な構成で充電中に人体検出センサの出力信号を検出することが可能となる。
【００１５】
また、請求項４に係るコードレス電話装置では、充電器は電磁波の周波数に人体検出センサの出力信号を重畳し、電話機本体は受信した電磁波の周波数変化に基づいて人体検出センサの出力信号を抽出するため、無接点で人体検出センサの出力信号を送受信することが可能となる。
【００１６】
また、請求項５に係るコードレス電話装置では、充電器は電磁波の振幅に人体検出センサの出力信号を重畳し、電話機本体は受信した電磁波から変換された電力の電圧変化に基づいて、この出力信号を抽出するため、無接点で人体検出センサの出力信号を送受信することが可能となる。
【００１７】
また、請求項６に係るコードレス電話装置では、人体検出センサの出力信号に基づいて、人の近づきと該人の遠のきとをそれぞれ検出することが可能となる。
更に、請求項７に係るコードレス電話装置では、人体検出センサは、焦電型赤外線センサであるため、人の動きを確実に検出することが可能となる。
【発明を実施するための最良の形態】
【００１８】
以下、本発明に係るコードレス電話装置をファクシミリ装置に具備されたコードレス電話機（子機）について具体化した実施例１乃至実施例３に基づき図面を参照しつつ詳細に説明する。
【実施例１】
【００１９】
［ファクシミリ装置の全体構成］
先ず、実施例１に係るファクシミリ装置１の概略構成について図１に基づき説明する。図１は実施例１に係るファクシミリ装置１の概略構成を示す斜視図である。
図１に示すように、ファクシミリ装置１は、親機１０とコードレス子機２０を備えた一般的構成のものである。
【００２０】
親機１０は、図示しない電話回線を介して接続される相手先装置との間で音声通話やファクシミリの送受信などを行うための通信装置である。この親機１０は、相手先の電話番号やＦＡＸ番号、各種コマンド等を入力するための複数のテンキーや四方向キーなどの各種キーを有する操作パネル１２、入力した各種番号やコマンド、或いは当該ファクシミリ装置１の動作状態などの各種情報が表示されるディスプレイ１３、図示しない受話器が載置される受話器台１４、コードレス子機２０との間で無線通信を行うためのアンテナ１５などを備える。
【００２１】
この親機１０は、受話器台１４に載置される受話器を用いた電話（音声通話）機能を有する他、ファクシミリ装置としての基本的な機能である、原稿読み取り機能及び画像記録機能を備えている。
【００２２】
また、コードレス子機２０は、親機１０及び電話回線を介して外部と音声通話をするための、ハンドセットの形状をした周知のコードレス電話機である。このコードレス子機２０は、図１に示すように、トーン信号や通話相手の音声などが出力される受話部２１、相手先の電話番号や各種機能に関連する情報等が表示される表示パネル（ＬＣＤ）２２、相手側の電話番号を入力する等の各種操作をするための操作ボタン２３などを備えている。
【００２３】
そして、親機１０は外部電源（例えば、ＡＣ１００Ｖ電源）の供給を受けて動作するのに対し、コードレス子機２０は、二次電池１０６（図２参照）から電源供給を受けて動作する。そのため、二次電池１０６を充電する際は、図示のように充電器３０にコードレス子機２０を載置して充電を行う。つまり、コードレス子機２０がこの充電器３０に載置されているときに、この充電器３０から電力の供給を受けて二次電池１０６が充電される。
また、充電器３０の前面部には、人体を検出する人体検出センサの一例としての焦電型赤外線センサ（以下、「焦電センサ」という。）３１が配置されている。
【００２４】
［実施例１のコードレス電話装置の構成］
次に、コードレス子機２０及び充電器３０の電気的構成について図２に基づいて説明する。図２はコードレス子機２０及び充電器３０の電気的構成を示すブロック図である。
図２に示すように、コードレス子機２０は、当該コードレス子機２０に搭載された各種デバイスを統括して制御するＣＰＵ１０１と、アンテナ１０５Ａを介して電波の送受信を行うＲＦモジュール１０５とを備えている。また、コードレス子機２０は、当該コードレス子機２０の外部から入力される音声を音声信号に変換するマイクや音声信号を音声に変換して出力する受話部２１や入力信号のダイナミックレンジの圧縮及び伸張を行うコンパンダ等から構成される電話機能部１０４を備えている。
【００２５】
また、コードレス子機２０は、画像を表示する表示パネル（ＬＣＤ）２２と、当該コードレス子機２０を外部操作するための各種キーからなる操作ボタン２３と、各種処理のプログラムを記憶するＲＯＭ１０２、各種処理を実行する際に記憶領域として用いるＲＡＭ１０３とを備えている。
【００２６】
更に、コードレス子機２０は、当該コードレス子機２０に着脱自在に搭載されて各種デバイスに電力を供給する二次電池１０６を備えている。また、コードレス子機２０は、この二次電池１０６に充電器３０から充電するための受電端子１０７を備えている。また、受電端子１０７の出力側には、ＣＰＵ１０１のＡ／Ｄポート１０８が接続されている。このＡ／Ｄポート１０８は、ＣＰＵ１０１に内蔵されたＡ／Ｄ変換器（図示せず）に接続されている。これにより、ＣＰＵ１０１は、Ａ／Ｄ変換器を介して受電端子１０７に供給された電力の直流電圧値を８ビットのデジタル値に変換して検出することが可能になる。また、ＣＰＵ１０１は、当該ＣＰＵ１０１と各種デバイスとを接続する入出力ポート（図示せず）、時間の計測を行うタイマ（図示せず）等を内蔵する。
【００２７】
次に、充電器３０は、外部の商用電源（例えば、約ＡＣ１００Ｖである。）に接続されたＡＣプラグ３２から入力された交流電力を所定電圧の直流電力に整流する整流回路２０１を備えている。また、充電器３０は、整流回路２０１から入力される所定電圧の直流電力を所定の定電流で供給する定電流回路２０２を備えている。また、充電器３０は、焦電センサ３１の出力を増幅してセンサ信号として出力するセンサ信号処理回路２０３を備えている。
【００２８】
また、充電器３０は、コードレス子機２０が当該充電器３０に載置されると受電端子１０７に接触する充電端子２０５を備えている。また、充電器３０は、定電流回路２０２から入力される所定電圧の直流電力と、センサ信号処理回路２０３から入力されるセンサ信号とから、当該所定電圧にセンサ信号を重畳した電源電圧を充電端子２０５へ出力する電圧調整回路２０４を備えている。
【００２９】
次に、充電器３０内に設けられる電圧調整回路２０４の一例について図３及び図４に基づいて説明する。
図３は充電器３０内に設けられる電圧調整回路２０４の回路構成の一例を示す図である。図４はセンサ信号に対応する電圧調整回路２０４の出力電圧の一例を示す図である。
【００３０】
図３に示すように、電圧調整回路２０４は、定電流回路２０２からの入力部にアノードが接続されるダイオードＤ１と、このダイオードＤ１のカソードがアノードに接続されるダイオードＤ２と、このダイオードＤ２のカソードがアノードに接続されるダイオードＤ３と、このダイオードＤ３のカソードがアノードに接続されると共に、カソードが充電端子２０５への出力部（Ｂ点）に接続されるダイオードＤ４とを備えている。
【００３１】
また、電圧調整回路２０４は、定電流回路２０２からの入力部にエミッタが接続されるＰＮＰ型のトランジスタＴＲ１と、このトランジスタＴＲ１のコレクタがアノードに接続されるダイオードＤ５と、このダイオードＤ５のカソードがアノードに接続されると共に、カソードが充電端子２０５への出力部（Ｂ点）に接続されるダイオードＤ６と、このＰＮＰ型のトランジスタＴＲ１のベースにコレクタが接続されるＰＮＰ型のトランジスタＴＲ２とを備えている。また、トランジスタＴＲ２のエミッタは、基準電圧ＶＲＥＦに接続されると共に、このトランジスタＴＲ２のベースは、センサ信号処理回路２０３からの入力部（Ａ点）に接続されて、センサ信号が入力される。
【００３２】
また、電圧調整回路２０４は、定電流回路２０２からの入力部にエミッタが接続されると共に、コレクタが充電端子２０５への出力部（Ｂ点）に接続されるＰＮＰ型のトランジスタＴＲ３と、このトランジスタＴＲ３のベースにコレクタが接続されるＮＰＮ型のトランジスタＴＲ４とを備えている。また、トランジスタＴＲ４のエミッタは、基準電圧ＶＲＥＦに接続されると共に、このトランジスタＴＲ４のベースは、センサ信号処理回路２０３からの入力部（Ａ点）に接続されて、センサ信号が入力される。
【００３３】
図４に示すように、このように構成された電圧調整回路２０４は、人が移動しない、又は、人がいないため、センサ信号処理回路２０３からの入力部（Ａ点）にセンサ信号が入力されていない場合には、即ち、非検出中の場合には、入力部（Ａ点）に電圧Ｖ１乃至電圧Ｖ２の電圧が入力される。そして、この場合には、各トランジスタＴＲ２、ＴＲ４は駆動されず、充電端子２０５への出力部（Ｂ点）の電圧は、定電流回路２０２からの入力電圧が４個の各ダイオードＤ１〜Ｄ４によって電圧降下されて、電圧ＶＢ以下の電圧が出力される。
【００３４】
従って、人が移動しない、又は、人がいない場合、即ち、人を検出しない場合には、充電器３０の充電端子２０５を介して、コードレス子機２０の受電端子１０７に電圧ＶＢ以下の電圧が入力される。
【００３５】
また、人が焦電センサ３１に近づいた場合には、センサ信号処理回路２０３からの入力部（Ａ点）に電圧Ｖ２よりも高い電圧が入力される。そして、この場合には、トランジスタＴＲ４が駆動されるが、トランジスタＴＲ２は駆動されない。このため、充電端子２０５への出力部（Ｂ点）の電圧は、トランジスタＴＲ３を介して、定電流回路２０２からの入力電圧が出力されて、電圧ＶＡよりも高い電圧が出力される。
【００３６】
従って、人が焦電センサ３１に近づいた場合には、充電器３０の充電端子２０５を介して、コードレス子機２０の受電端子１０７に電圧ＶＡよりも高い電圧が入力される。
【００３７】
また、人が焦電センサ３１から遠のいた場合には、センサ信号処理回路２０３からの入力部（Ａ点）に電圧Ｖ１よりも低い電圧が入力される。そして、この場合には、トランジスタＴＲ２が駆動されるが、トランジスタＴＲ４は駆動されない。このため、充電端子２０５への出力部（Ｂ点）の電圧は、トランジスタＴＲ１を介して、２個の各ダイオードＤＤ５、Ｄ６によって電圧降下されて、電圧ＶＢより高い電圧で、且つ、電圧ＶＡ以下の電圧が出力される。
【００３８】
従って、人が焦電センサ３１から遠のいた場合には、充電器３０の充電端子２０５を介して、コードレス子機２０の受電端子１０７に電圧ＶＢより高い電圧で、且つ、電圧ＶＡ以下の電圧が入力される。
【００３９】
［人検知処理１］
次に、上記のように構成されたコードレス子機２０のＣＰＵ１０１が実行する人の近づき又は遠のきを検出する「人検知処理１」について図５に基づいて説明する。
図５はコードレス子機２０のＣＰＵ１０１が実行する人の近づき又は遠のきを検出する「人検知処理１」を示すフローチャートである。
【００４０】
図５に示すように、先ず、ステップ（以下、Ｓと略記する）１１において、ＣＰＵ１０１は、Ａ／Ｄポート１０８を介して受電端子１０７の電圧を読み込み、ＲＡＭ１０３に記憶する。
【００４１】
続いて、Ｓ１２において、ＣＰＵ１０１は、受電端子１０７の電圧Ｖが、電圧ＶＡよりも高い電圧か否かを判定する判定処理を実行する。そして、受電端子１０７の電圧Ｖが電圧ＶＡよりも高い電圧の場合には（Ｓ１２：ＹＥＳ）、ＣＰＵ１０１は、Ｓ１３の処理に移行する。Ｓ１３において、ＣＰＵ１０１は、人がコードレス子機２０に近づいたと判断して、近づきフラグをオンに設定してＲＡＭ１０３に記憶後、当該処理を終了する。尚、コードレス子機２０の起動時又はリセット時には、近づきフラグはオフに設定されてＲＡＭ１０３に記憶されている。
【００４２】
一方、受電端子１０７の電圧Ｖが電圧ＶＡ以下の場合には（Ｓ１２：ＮＯ）、ＣＰＵ１０１は、Ｓ１４の処理に移行する。Ｓ１４において、ＣＰＵ１０１は、受電端子１０７の電圧Ｖが電圧ＶＢよりも高い電圧か否かを判定する判定処理を実行する。そして、受電端子１０７の電圧Ｖが電圧ＶＢよりも高い電圧の場合には（Ｓ１４：ＹＥＳ）、ＣＰＵ１０１は、Ｓ１５の処理に移行する。Ｓ１５において、ＣＰＵ１０１は、人がコードレス子機２０から遠のいたと判断して、遠のきフラグをオンに設定してＲＡＭ１０３に記憶後、当該処理を終了する。尚、コードレス子機２０の起動時又はリセット時には、遠のきフラグはオフに設定されてＲＡＭ１０３に記憶されている。
【００４３】
また一方、受電端子１０７の電圧Ｖが電圧ＶＢ以下の場合には（Ｓ１４：ＮＯ）、ＣＰＵ１０１は、Ｓ１６の処理に移行する。Ｓ１６において、ＣＰＵ１０１は、人が移動しない、又は、人がいない、即ち、人を検出しないと判断して、近づきフラグ及び遠のきフラグをオフに設定してＲＡＭ１０３に記憶後、当該処理を終了する。つまり、二次電池１０６への充電処理のみが行われる。
【００４４】
ここで、ＡＣプラグ３２、整流回路２０１、定電流回路２０２、電圧調整回路２０４及び充電端子２０５は、給電部を構成する。また、焦電センサ３１は、人体検出センサとして機能する。また、センサ信号処理回路２０３及び電圧調整回路２０４は、信号重畳手段を構成する。また、受電端子１０７は、受電部として機能する。また、ＣＰＵ１０１及びＡ／Ｄポート１０８は、信号抽出手段を構成する。
【００４５】
［実施例１の効果］
以上詳細に説明した通り、実施例１に係るコードレス子機２０では、充電器３０の充電端子２０５から受電端子１０７に供給される電源電圧から焦電センサ３１のセンサ信号を抽出する。このため、二次電池１０６の充電中に充電器３０から焦電センサ３１のセンサ信号を送信することが可能となる。また、電圧調整回路２０４を介して充電端子２０５から供給する電力に焦電センサ３１のセンサ信号を重畳する回路構成にすればよいため、充電器３０の回路構成を簡易な構成にすることが可能となる。
【００４６】
従って、充電器３０はＣＰＵ等の演算装置を必要とせず、また、センサ信号の送受信機構を充電端子２０５及び受電端子１０７と別体に設ける必要がなく、コードレス子機２０及び充電器３０を簡易な構成にすることが可能となる。更に、焦電センサ３１は、焦電型赤外線センサであるため、充電器３０への人の近づきと該人の遠のきとをそれぞれ確実に検出することが可能となる。
【実施例２】
【００４７】
次に、実施例２に係るコードレス子機４０及び充電器５０について図６乃至図９に基づいて説明する。尚、上記実施例１に係るコードレス子機２０及び充電器３０と同一符号は、上記実施例１に係るコードレス子機２０及び充電器３０と同一あるいは相当部分を示すものである。
【００４８】
この実施例２に係るコードレス子機４０及び充電器５０の各全体構成は、実施例１に係るコードレス子機２０及び充電器３０とほぼ同じ構成である。また、実施例２に係るコードレス子機４０の制御構成及び制御処理は、実施例１に係るコードレス子機２０の制御構成及び制御処理と同じ制御処理である。
但し、実施例２に係るコードレス子機４０及び充電器５０は、電磁波による非接触型の電源供給である点で、上記実施例１に係るコードレス子機２０及び充電器３０と異なっている。
【００４９】
［実施例２のコードレス電話装置の構成］
先ず、コードレス子機４０及び充電器５０の電気的構成について図６に基づいて説明する。図６は実施例２に係るコードレス子機４０及び充電器５０の電気的構成を示すブロック図である。
【００５０】
図６に示すように、コードレス子機４０は、上記実施例１に係るコードレス子機２０とほぼ同じ構成であるが、上記受電端子１０７に替えて二次側コイル等から構成されて充電器５０から発振された電磁波の磁束エネルギーを交流電力に変換して出力する発振回路１１１と、この発振回路１１１から出力された交流電力を直流電力にして二次電池１０６に出力する整流回路１１２とが設けられている。
【００５１】
また、コードレス子機４０は、発振回路１１１に接続されて、当該発振回路１１１から出力される交流電力の周波数を電圧に変換する周波数／電圧変換回路（以下、「Ｆ／Ｖ変換回路」という。）１１３が設けられている。また、このＦ／Ｖ変換回路１１３の出力は、ＣＰＵ１０１のＡ／Ｄポート１０８に接続されている。これにより、ＣＰＵ１０１は、内蔵されたＡ／Ｄ変換器（図示せず）によりＡ／Ｄポート１０８に入力された電力の直流電圧値を８ビットのデジタル値に変換して、充電器５０から送信された電磁波の周波数を検出することが可能になる。
【００５２】
また、図６に示すように、充電器５０は、上記実施例１に係る充電器３０とほぼ同じ構成であるが、整流回路２０１から入力される所定電圧の直流電力を所定周波数の交流電力に変換して出力すると共に、センサ信号処理回路２０３から入力されるセンサ信号に従って当該交流電力の周波数を増減させて出力する周波数調整回路２１１を備えている。
また、充電器５０は、一次側コイルＬ１（図７参照）等から構成されて周波数調整回路２１１から入力された交流電力を電磁波による磁束エネルギーに変換して発振する発振回路２１２を備えている。
【００５３】
次に、充電器５０内に設けられる周波数調整回路２１１の一例について図７及び図８に基づいて説明する。
図７は充電器５０内に設けられる周波数調整回路２１１の回路構成の一例を示す図である。図８は焦電センサ３１のセンサ信号に対応する一次側コイルＬ１の発振周波数の変化とコードレス子機４０のＦ／Ｖ変換回路１１３の出力電圧の変化の一例を示す図である。
【００５４】
図７に示すように、周波数調整回路２１１は、整流回路２０１から入力された直流電力を変換した所定周波数の交流電力の出力部が、一次側コイルＬ１の一端に接続されている。また、この一次側コイルＬ１の他端は、接地されている。また、アノードが接地された可変容量ダイオード（以下、「バリキャップ」という。）Ｄ１１と、このバリキャップＤ１１のカソードが一方に接続されると共に、他方に交流電力の出力部が接続されるコンデンサＣ１とを備えている。また、一端側が基準電圧ＶＲＥＦに接続されると共に、他端側がバリキャップＤ１１のカソードに接続される抵抗Ｒ１を備えている。また、一端側が接地されると共に、他端側がバリキャップＤ１１のカソードに接続される抵抗Ｒ２を備えている。
【００５５】
また、基準電圧ＶＲＥＦにコレクタが接続されると共に、エミッタがバリキャップＤ１１のカソードに接続されるＮＰＮ型トランジスタＴＲ１１を備えている。また、このトランジスタＴＲ１１のベースは、センサ信号処理回路２０３からの入力部（Ａ点）に接続されて、センサ信号が入力される。また、エミッタがバリキャップＤ１１のカソードに接続されると共に、コレクタが接地されるＰＮＰ型トランジスタＴＲ１２を備えている。また、このトランジスタＴＲ１２のベースは、センサ信号処理回路２０３からの入力部（Ａ点）に接続されて、センサ信号が入力される。
【００５６】
図８に示すように、このように構成された周波数調整回路２１１は、人が移動しない、又は、人がいないため、センサ信号処理回路２０３からの入力部（Ａ点）にセンサ信号が入力されていない場合には、即ち、非検出中の場合には、入力部（Ａ点）に電圧Ｖ１乃至電圧Ｖ２の電圧が入力される。そして、この場合には、各トランジスタＴＲ１１、ＴＲ１２は駆動されず、バリキャップＤ１１のカソードに印加される電圧、即ち、図７中、Ｃ点の電圧は、基準電圧ＶＲＥＦが抵抗Ｒ１と抵抗Ｒ２とによって分圧された一定電圧となる。このため、一次側コイルＬ１の発信周波数は、基準周波数Ｆ０となる。
【００５７】
従って、人が移動しない、又は、人がいない場合、即ち、人を検出しない場合には、コードレス子機４０のＣＰＵ１０１のＡ／Ｄポート１０８には、Ｆ／Ｖ変換回路１１３から電圧ＶＬ以上の電圧で、且つ、電圧ＶＨ以下の電圧Ｖ０が入力される。
【００５８】
また、人が焦電センサ３１に近づいた場合には、センサ信号処理回路２０３からの入力部（Ａ点）に電圧Ｖ２よりも高い電圧が入力される。そして、この場合には、トランジスタＴＲ１１が駆動されるが、トランジスタＴＲ１２は駆動されない。このため、バリキャップＤ１１のカソードに印加される電圧、即ち、図７中、Ｃ点の電圧は、ほぼ基準電圧ＶＲＥＦとなる。このため、一側コイルＬ１の発信周波数は、基準周波数Ｆ０よりも低い周波数Ｆ１となる。
【００５９】
従って、人が焦電センサ３１に近づいた場合には、コードレス子機４０のＣＰＵ１０１のＡ／Ｄポート１０８には、Ｆ／Ｖ変換回路１１３から電圧ＶＬよりも低い電圧が入力される。
【００６０】
また、人が焦電センサ３１から遠のいた場合には、センサ信号処理回路２０３からの入力部（Ａ点）に電圧Ｖ１よりも低い電圧が入力される。そして、この場合には、トランジスタＴＲ１２が駆動されるが、トランジスタＴＲ１１は駆動されない。このため、バリキャップＤ１１のカソードに印加される電圧、即ち、図７中、Ｃ点の電圧は、ほぼグランド電位となる。このため、一側コイルＬ１の発信周波数は、基準周波数Ｆ０よりも高い周波数Ｆ２となる。
【００６１】
従って、人が焦電センサ３１から遠のいた場合には、コードレス子機４０のＣＰＵ１０１のＡ／Ｄポート１０８には、Ｆ／Ｖ変換回路１１３から電圧ＶＨよりも高い電圧が入力される。
【００６２】
［人検知処理２］
次に、上記のように構成されたコードレス子機４０のＣＰＵ１０１が実行する人の近づき又は遠のきを検出する「人検知処理２」について図９に基づいて説明する。
図９はコードレス子機４０のＣＰＵ１０１が実行する人の近づき又は遠のきを検出する「人検知処理２」を示すフローチャートである。
【００６３】
図９に示すように、先ず、Ｓ１１１において、ＣＰＵ１０１は、Ａ／Ｄポート１０８を介してＦ／Ｖ変換回路１１３の出力電圧を読み込み、ＲＡＭ１０３に記憶する。
【００６４】
続いて、Ｓ１１２において、ＣＰＵ１０１は、Ｆ／Ｖ変換回路１１３の出力電圧が、電圧ＶＬよりも低い電圧か否かを判定する判定処理を実行する。そして、Ｆ／Ｖ変換回路１１３の出力電圧が、電圧ＶＬよりも低い電圧の場合には（Ｓ１１２：ＹＥＳ）、ＣＰＵ１０１は、Ｓ１１３の処理に移行する。Ｓ１１３において、ＣＰＵ１０１は、人がコードレス子機４０に近づいたと判断して、近づきフラグをオンに設定してＲＡＭ１０３に記憶後、当該処理を終了する。尚、コードレス子機４０の起動時又はリセット時には、近づきフラグはオフに設定されてＲＡＭ１０３に記憶されている。
【００６５】
一方、Ｆ／Ｖ変換回路１１３の出力電圧が、電圧ＶＬ以上の電圧の場合には（Ｓ１１２：ＮＯ）、ＣＰＵ１０１は、Ｓ１１４の処理に移行する。Ｓ１１４において、ＣＰＵ１０１は、Ｆ／Ｖ変換回路１１３の出力電圧が、電圧ＶＨよりも高い電圧か否かを判定する判定処理を実行する。そして、Ｆ／Ｖ変換回路１１３の出力電圧が、電圧ＶＨよりも高い電圧の場合には（Ｓ１１４：ＹＥＳ）、ＣＰＵ１０１は、Ｓ１１５の処理に移行する。Ｓ１１５において、ＣＰＵ１０１は、人がコードレス子機４０から遠のいたと判断して、遠のきフラグをオンに設定してＲＡＭ１０３に記憶後、当該処理を終了する。尚、コードレス子機４０の起動時又はリセット時には、遠のきフラグはオフに設定されてＲＡＭ１０３に記憶されている。
【００６６】
また一方、Ｆ／Ｖ変換回路１１３の出力電圧が、電圧ＶＨ以下の電圧の場合には（Ｓ１１４：ＮＯ）、ＣＰＵ１０１は、Ｓ１１６の処理に移行する。Ｓ１１６において、ＣＰＵ１０１は、人が移動しない、又は、人がいない、即ち、人を検出しないと判断して、近づきフラグ及び遠のきフラグをオフに設定してＲＡＭ１０３に記憶後、当該処理を終了する。つまり、二次電池１０６への充電処理のみが行われる。
【００６７】
ここで、ＡＣプラグ３２、整流回路２０１、周波数調整回路２１１及び発振回路２１２は、給電部を構成する。また、発振回路２１２は、電磁波変換手段として機能する。また、焦電センサ３１は、人体検出センサとして機能する。また、センサ信号処理回路２０３及び周波数調整回路２１１は、信号重畳手段を構成する。また、発振回路１１１及び整流回路１１２は、受電部として機能する。また、発振回路１１１は、電力変換手段として機能する。また、Ｆ／Ｖ変換回路１１３、ＣＰＵ１０１及びＡ／Ｄポート１０８は、信号抽出手段を構成する。
【００６８】
［実施例２の効果］
以上詳細に説明した通り、実施例２に係るコードレス子機４０では、充電器５０の発振回路２１２の一次側コイルＬ１から発振される電磁波を、発振回路１１１の二次側コイルによって交流電力に変換する。そして、ＣＰＵ１０１は、Ｆ／Ｖ変換回路１１３を介して、この交流電力の周波数の変化から焦電センサ３１のセンサ信号を抽出する。このため、二次電池１０６の充電中に充電器５０から焦電センサ３１のセンサ信号を送信することが可能となる。また、充電器５０の発振回路２１２の一次側コイルＬ１から発振される電磁波の周波数に、焦電センサ３１のセンサ信号を重畳する回路構成にすればよいため、充電器５０の回路構成を簡易な構成にすることが可能となる。
【００６９】
また、充電器５０は一次側コイルＬ１から発振される電磁波の周波数にセンサ信号処理回路２０３の出力信号を重畳し、コードレス子機４０は受信した電磁波を交流電力に変換する。そして、コードレス子機４０のＣＰＵ１０１は、この交流電力の周波数変化に基づいて焦電センサ３１の出力信号を抽出するため、無接点で焦電センサ３１の出力信号を受信することが可能となる。
【００７０】
従って、充電器５０はＣＰＵ等の演算装置を必要とせず、また、センサ信号の送受信機構を発振回路２１２及び発振回路１１１と別体に設ける必要がなく、コードレス子機４０及び充電器５０を簡易な構成にすることが可能となる。
更に、焦電センサ３１は、焦電型赤外線センサであるため、充電器５０への人の近づきと該人の遠のきとをそれぞれ確実に検出することが可能となる。
【実施例３】
【００７１】
次に、実施例３に係るコードレス子機６０及び充電器７０について図１０乃至図１２に基づいて説明する。尚、上記実施例２に係るコードレス子機４０及び充電器５０と同一符号は、上記実施例２に係るコードレス子機４０及び充電器５０と同一あるいは相当部分を示すものである。
【００７２】
この実施例３に係るコードレス子機６０及び充電器７０の各全体構成は、実施例２に係るコードレス子機４０及び充電器５０とほぼ同じ構成である。また、実施例３に係るコードレス子機６０の制御構成及び制御処理は、実施例２に係るコードレス子機４０の制御構成及び制御処理と同じ制御処理である。
但し、実施例３に係る充電器７０は、上記周波数調整回路２１１に替えて振幅調整回路３１１を備えている点で、上記実施例２に係る充電器５０と異なっている。
【００７３】
［実施例３のコードレス電話装置の構成］
先ず、コードレス子機６０及び充電器７０の電気的構成について図１０に基づいて説明する。図１０は実施例３に係るコードレス子機６０及び充電器７０の電気的構成を示すブロック図である。
【００７４】
図１０に示すように、コードレス子機６０は、上記実施例２に係るコードレス子機４０とほぼ同じ構成であるが、上記Ｆ／Ｖ変換回路１１３が設けられていない。また、コードレス子機６０は、発振回路１１１から出力される交流電力を直流電力にして二次電池１０６に出力する整流回路１１２の出力部が、ＣＰＵ１０１のＡ／Ｄポート１０８に接続されている。これにより、ＣＰＵ１０１は、内蔵されたＡ／Ｄ変換器（図示せず）によりＡ／Ｄポート１０８に入力された電力の直流電圧値を８ビットのデジタル値に変換して、整流回路１１２の出力電圧を検出することが可能になる。
【００７５】
また、図１０に示すように、充電器７０は、上記実施例２に係る充電器５０とほぼ同じ構成であるが、上記周波数調整回路２１１に替えて振幅調整回路３１１が設けられている。この振幅調整回路３１１は、整流回路２０１から入力される所定電圧の直流電力を所定周波数の交流電力に変換して出力すると共に、センサ信号処理回路２０３から入力されるセンサ信号に従って当該交流電力の電圧を増減させて出力する。従って、一次側コイルＬ１（図７参照）等から構成された発振回路２１２から発振される電磁波の振幅は、振幅調整回路３１１から入力される交流電力の電圧に従って増減する。
【００７６】
従って、コードレス子機６０の発振回路１１１から出力される交流電力の電圧は、発振回路２１２から発振された電磁波の振幅に従って増減される。このため、コードレス子機６０の整流回路１１２から出力される直流電力の電圧は、発振回路２１２から発振された電磁波の振幅に従って増減する。
【００７７】
次に、このように構成された充電器７０の焦電センサ３１のセンサ信号に対応する一次側コイルＬ１の発振する電磁波の振幅変化とコードレス子機６０の整流回路１１２の出力電圧変化の一例について図１１に基づいて説明する。
図１１は、焦電センサ３１のセンサ信号に対応する一次側コイルＬ１の発振する電磁波の振幅変化とコードレス子機６０の整流回路１１２の出力電圧変化の一例を示す図である。
【００７８】
図１１に示すように、振幅調整回路３１１は、人が移動しない、又は、人がいないため、センサ信号処理回路２０３からの入力部（図７のＡ点）にセンサ信号が入力されていない場合には、即ち、非検出中の場合には、入力部（図７のＡ点）に電圧Ｖ１乃至電圧Ｖ２の電圧が入力される。そして、この場合には、各トランジスタＴＲ１１、ＴＲ１２は駆動されず、図７中、Ｃ点の電圧は、基準電圧ＶＲＥＦが抵抗Ｒ１と抵抗Ｒ２とによって分圧された一定電圧となる。このため、一次側コイルＬ１等から構成された発振回路２１２から発振される電磁波の振幅は、所定基準振幅Ｈ０になる。
【００７９】
従って、人が移動しない、又は、人がいない場合、即ち、人を検出しない場合には、コードレス子機６０のＣＰＵ１０１のＡ／Ｄポート１０８には、整流回路１１２から電圧ＶＹ以下の電圧が入力される。
【００８０】
また、人が焦電センサ３１に近づいた場合には、センサ信号処理回路２０３からの入力部（Ａ点）に電圧Ｖ２よりも高い電圧が入力される。そして、この場合には、トランジスタＴＲ１１が駆動されるが、トランジスタＴＲ１２は駆動されず、図７中、Ｃ点の電圧は、ほぼ基準電圧ＶＲＥＦとなる。このため、一次側コイルＬ１等から構成された発振回路２１２から発振される電磁波の振幅は、最も大きい振幅Ｈ２になる。
【００８１】
従って、人が焦電センサ３１に近づいた場合には、コードレス子機６０のＣＰＵ１０１のＡ／Ｄポート１０８には、整流回路１１２から電圧ＶＸより高い電圧が入力される。
【００８２】
また、人が焦電センサ３１から遠のいた場合には、センサ信号処理回路２０３からの入力部（Ａ点）に電圧Ｖ１よりも低い電圧が入力される。そして、この場合には、トランジスタＴＲ１２が駆動されるが、トランジスタＴＲ１１は駆動されず、図７中、Ｃ点の電圧は、ほぼグランド電位となる。このため、一次側コイルＬ１等から構成された発振回路２１２から発振される電磁波の振幅は、最も大きい振幅Ｈ２よりも小さく、且つ、所定基準振幅Ｈ０よりも大きい振幅Ｈ１になる。
【００８３】
従って、人が焦電センサ３１から遠のいた場合には、コードレス子機６０のＣＰＵ１０１のＡ／Ｄポート１０８には、整流回路１１２から電圧ＶＹより高い電圧で、且つ、電圧ＶＸ以下の電圧が入力される。
【００８４】
［人検知処理３］
次に、上記のように構成されたコードレス子機６０のＣＰＵ１０１が実行する人の近づき又は遠のきを検出する「人検知処理３」について図１２に基づいて説明する。
図１２はコードレス子機６０のＣＰＵ１０１が実行する人の近づき又は遠のきを検出する「人検知処理３」を示すフローチャートである。
【００８５】
図１２に示すように、先ず、Ｓ２１１において、ＣＰＵ１０１は、Ａ／Ｄポート１０８を介して整流回路１１２からの出力電圧を読み込み、ＲＡＭ１０３に記憶する。
【００８６】
続いて、Ｓ２１２において、ＣＰＵ１０１は、整流回路１１２の電圧Ｖが、電圧ＶＸよりも高い電圧か否かを判定する判定処理を実行する。そして、整流回路１１２の電圧Ｖが電圧ＶＸよりも高い電圧の場合には（Ｓ２１２：ＹＥＳ）、ＣＰＵ１０１は、Ｓ２１３の処理に移行する。Ｓ２１３において、ＣＰＵ１０１は、人がコードレス子機２０に近づいたと判断して、近づきフラグをオンに設定してＲＡＭ１０３に記憶後、当該処理を終了する。尚、コードレス子機６０の起動時又はリセット時には、近づきフラグはオフに設定されてＲＡＭ１０３に記憶されている。
【００８７】
一方、整流回路１１２の電圧Ｖが電圧ＶＸ以下の場合には（Ｓ２１２：ＮＯ）、ＣＰＵ１０１は、Ｓ２１４の処理に移行する。Ｓ２１４において、ＣＰＵ１０１は、整流回路１１２の電圧Ｖが電圧ＶＹよりも高い電圧か否かを判定する判定処理を実行する。そして、整流回路１１２の電圧Ｖが電圧ＶＹよりも高い電圧の場合には（Ｓ２１４：ＹＥＳ）、ＣＰＵ１０１は、Ｓ２１５の処理に移行する。Ｓ２１５において、ＣＰＵ１０１は、人がコードレス子機６０から遠のいたと判断して、遠のきフラグをオンに設定してＲＡＭ１０３に記憶後、当該処理を終了する。尚、コードレス子機６０の起動時又はリセット時には、遠のきフラグはオフに設定されてＲＡＭ１０３に記憶されている。
【００８８】
また一方、整流回路１１２の電圧Ｖが電圧ＶＹ以下の場合には（Ｓ２１４：ＮＯ）、ＣＰＵ１０１は、Ｓ２１６の処理に移行する。Ｓ２１６において、ＣＰＵ１０１は、人が移動しない、又は、人がいない、即ち、人を検出しないと判断して、近づきフラグ及び遠のきフラグをオフに設定してＲＡＭ１０３に記憶後、当該処理を終了する。つまり、二次電池１０６への充電処理のみが行われる。
【００８９】
ここで、ＡＣプラグ３２、整流回路２０１、振幅調整回路３１１及び発振回路２１２は、給電部を構成する。また、発振回路２１２は、電磁波変換手段として機能する。また、焦電センサ３１は、人体検出センサとして機能する。また、センサ信号処理回路２０３及び振幅調整回路３１１は、信号重畳手段を構成する。また、発振回路１１１及び整流回路１１２は、受電部として機能する。また、発振回路１１１は、電力変換手段として機能する。また、ＣＰＵ１０１及びＡ／Ｄポート１０８は、信号抽出手段を構成する。
【００９０】
［実施例３の効果］
以上詳細に説明した通り、実施例３に係るコードレス子機６０では、充電器７０の発振回路２１２の一次側コイルＬ１から発振される電磁波を、発振回路１１１の二次側コイルによって交流電力に変換する。そして、ＣＰＵ１０１は、この交流電力を整流回路１１２によって直流電力に変換された電圧の変化から焦電センサ３１のセンサ信号を抽出する。このため、二次電池１０６の充電中に充電器７０から焦電センサ３１のセンサ信号を送信することが可能となる。また、充電器７０の発振回路２１２の一次側コイルＬ１から発振される電磁波の振幅に、焦電センサ３１のセンサ信号を重畳する回路構成にすればよいため、充電器７０の回路構成を簡易な構成にすることが可能となる。
【００９１】
また、充電器７０は一次側コイルＬ１から発振される電磁波の振幅にセンサ信号処理回路２０３の出力信号を重畳し、コードレス子機６０は受信した電磁波を交流電力に変換する。そして、コードレス子機６０のＣＰＵ１０１は、この交流電力の振幅、即ち、この交流電力を直流電力に変換後、この直流電力の電圧変化に基づいて焦電センサ３１の出力信号を抽出するため、無接点で焦電センサ３１の出力信号を受信することが可能となる。
【００９２】
従って、充電器７０はＣＰＵ等の演算装置を必要とせず、また、センサ信号の送受信機構を発振回路２１２及び発振回路１１１と別体に設ける必要がなく、コードレス子機６０及び充電器７０を簡易な構成にすることが可能となる。
更に、焦電センサ３１は、焦電型赤外線センサであるため、充電器７０への人の近づきと該人の遠のきとをそれぞれ確実に検出することが可能となる。
【００９３】
尚、本発明は前記実施例１乃至実施例３に限定されることはなく、本発明の要旨を逸脱しない範囲内で種々の改良、変形が可能であることは勿論である。
【図面の簡単な説明】
【００９４】
【図１】実施例１に係るファクシミリ装置の概略構成を示す斜視図である。
【図２】実施例１に係るコードレス子機及び充電器の電気的構成を示すブロック図である。
【図３】実施例１に係る充電器内に設けられる電圧調整回路の回路構成の一例を示す図である。
【図４】実施例１に係る焦電型赤外線センサのセンサ信号に対応する電圧調整回路の出力電圧の一例を示す図である。
【図５】実施例１に係るコードレス子機のＣＰＵが実行する人の近づき又は遠のきを検出する「人検知処理１」を示すフローチャートである。
【図６】実施例２に係るコードレス子機及び充電器の電気的構成を示すブロック図である。
【図７】実施例２に係る充電器内に設けられる周波数調整回路の回路構成の一例を示す図である。
【図８】焦電型赤外線センサのセンサ信号に対応する一次側コイルの発振周波数の変化とコードレス子機のＦ／Ｖ変換回路の出力電圧の変化の一例を示す図である。
【図９】実施例２に係るコードレス子機のＣＰＵが実行する人の近づき又は遠のきを検出する「人検知処理２」を示すフローチャートである。
【図１０】実施例３に係るコードレス子機及び充電器の電気的構成を示すブロック図である。
【図１１】焦電型赤外線センサのセンサ信号に対応する一次側コイルの発振する電磁波の振幅変化とコードレス子機の整流回路の出力電圧変化の一例を示す図である。
【図１２】実施例３に係るコードレス子機のＣＰＵが実行する人の近づき又は遠のきを検出する「人検知処理３」を示すフローチャートである。
【符号の説明】
【００９５】
１・・・ファクシミリ装置
１０・・・親機
２０、４０、６０・・・コードレス子機
３０、５０、７０・・・充電器
３１・・・焦電型赤外線センサ（焦電センサ）
１０１・・・ＣＰＵ
１０６・・・二次電池
１０７・・・受電端子
１０８・・・Ａ／Ｄポート
１１１、２１２・・・発振回路
１１２、２０１・・・整流回路
１１３・・・周波数／電圧変換回路（Ｆ／Ｖ変換回路）
２０２・・・定電流回路
２０３・・・センサ信号処理回路
２０４・・・電圧調整回路
２０５・・・充電端子
２１１・・・周波数調整回路
３１１・・・振幅調整回路
【図１】
2008245086.tif 000003
【図２】
2008245086.tif 000004
【図３】
2008245086.tif 000005
【図４】
2008245086.tif 000006
【図５】
2008245086.tif 000007
【図６】
2008245086.tif 000008
【図７】
2008245086.tif 000009
【図８】
2008245086.tif 000010
【図９】
2008245086.tif 000011
【図１０】
2008245086.tif 000012
【図１１】
2008245086.tif 000013
【図１２】
2008245086.tif 000014